Podtech/llm-jp-corpus-v4-ja_patent huggingface dataset:
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
読取り／書込みヘッドであって、
本体を備え、前記本体は、本体長および支持面を有し、前記支持面は、データ記憶媒体が前記支持面にわたって長手方向に搬送されるときに前記データ記憶媒体を支持するためのものであり、前記本体の前記支持面は、軸を中心として前記本体の幅方向に湾曲しており、前記本体の前記支持面が有する長手方向の長さは、前記本体の中間領域においてのみ前記本体長よりも短く、前記読取り／書込みヘッドはさらに、
少なくとも１つの読取り／書込み装置を備え、前記少なくとも１つの読取り／書込み装置は、前記データ記憶媒体が前記支持面にわたって搬送されるときに前記データ記憶媒体からのデータの読取りおよび／またはデータ記憶媒体へのデータの書込みを行うために、前記本体の前記支持面の前記中間領域上に設けられる、読取り／書込みヘッド。
【請求項２】
前記本体の前記支持面は横軸を中心として凸状である、請求項１に記載の読取り／書込みヘッド。
【請求項３】
前記本体の前記支持面は横軸を中心として部分的に円筒形である、請求項１に記載の読取り／書込みヘッド。
【請求項４】
前記読取り／書込みヘッドの前記本体の前記支持面においてスロットが形成される、請求項１〜３のいずれか１項に記載の読取り／書込みヘッド。
【請求項５】
前記スロットは、前記読取り／書込みヘッドの前記本体内を通るよう形成される、請求項４に記載の読取り／書込みヘッド。
【請求項６】
前記スロットは、長手方向および横方向に対して概して垂直に形成される、請求項４または５に記載の読取り／書込みヘッド。
【請求項７】
前記スロットは、１つの横方向側壁および２つの長手方向側壁を備える、請求項４〜６のいずれか１項に記載の読取り／書込みヘッド。
【請求項８】
前記スロットは、１つの横方向側壁と、前記横方向側壁および長手方向に対して角度が付けられた２つの側壁とを備える、請求項４〜６のいずれか１項に記載の読取り／書込みヘッド。
【請求項９】
前記スロットは、２つの長手方向側壁と、概して平坦な横面とを備える、請求項請求項４〜６のいずれか１項に記載の読取り／書込みヘッド。
【請求項１０】
前記スロットは、前記本体において一定の深さに形成される、請求項４〜９のいずれか１項に記載の読取り／書込みヘッド。
【請求項１１】
前記スロットはさらに、第１のスロットとして規定され、
第２のスロットが前記第１のスロットと交差する前記読取り／書込みヘッドの前記本体において形成される、請求項１０に記載の読取り／書込みヘッド。
【請求項１２】
前記スロットは、前記少なくとも１つの読取り／書込み装置から間隔を空けて配置され、前記本体の長手方向端縁に形成される、請求項１１に記載の読取り／書込みヘッド。
【請求項１３】
前記第２のスロットは、逆の長手方向への前記データ記憶媒体の移動中における接触を向上させるために、前記読取り／書込みヘッドの前記本体の前記支持面において形成される、請求項１２に記載の読取り／書込みヘッド。
【請求項１４】
前記第２のスロットは、前記少なくとも１つの読取り／書込み装置から間隔を空けて配置され、前記第１のスロットから間隔を空けて配置され、前記第２のスロットは、前記読取り／書込みヘッドの第２の長手方向端縁に形成される、請求項１３に記載の読取り／書込みヘッド。
【請求項１５】
テープ駆動システムであって、
請求項１〜１４のいずれか１項に記載の読取り／書込みヘッドを備え、前記データ記憶媒体はデータ記憶テープを含み、前記テープ駆動システムはさらに、
前記データ記憶テープを駆動するためのモータを備える、テープ駆動システム。
【請求項１６】
テープ駆動システムであって、
読取り／書込みヘッドを備え、前記読取り／書込みヘッドは本体長および支持面を有し、前記支持面は、データ記憶テープが前記支持面にわたって長手方向に搬送されるときに前記データ記憶テープを支持するためのものであり、前記読取り／書込みヘッドの前記支持面は、軸を中心として、前記読取り／書込みヘッドの幅方向に湾曲し、前記読取り／書込みヘッドの前記支持面が有する長手方向の長さは、前記読取り／書込みヘッドの中間領域においてのみ本体長よりも短く、前記テープ駆動システムはさらに、
前記読取り／書込みヘッドの前記支持面の前記中間領域上に設けられる少なくとも１つの読取り／書込み装置を備え、前記少なくとも１つの読取り／書込み装置は、前記データ記憶テープが前記支持面にわたって搬送されるときに前記データ記憶テープからのデータの読取りおよび／または前記データ記憶テープへのデータの書込みを行うためのものであり、前記テープ駆動システムはさらに、
前記データ記憶テープを駆動するためのモータを備える、テープ駆動システム。
【請求項１７】
読取り／書込みヘッドを製造するための方法であって、
データ記憶媒体を支持するための湾曲した支持面を備えた細長い本体を形成するステップと、
前記読取り／書込みヘッドの前記支持面の中間領域上に少なくとも１つの読取り／書込み装置を設けるステップと、
前記中間領域における前記支持面の長手方向の長さを短くするために、前記細長い本体の前記中間領域から材料を除去するステップとを含む、方法。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
画像システムの運用特性のセットを得るステップと、
前記運用特性のセットのうち、断続的に所定範囲の外側になり前記画像システムの即時サービスを要求しない運用特性を識別するステップと、
前記の識別した運用特性の傾向を生成するステップと、
前記の生成した傾向を少なくとも１つの基準傾向と比較するステップと、
前記比較に基づき、前記画像システムはサービスを提供されるべきであると決定するステップと、
前記画像システムはサービスを提供されるべきであると決定することに応答して、サービス通知信号を生成するステップであって、前記サービス通知信号は、前記画像システムのサービスを呼び出す、ステップと、
を有する方法。
【請求項２】
前記運用特性のセットを得るステップは、数値のセットを決定するステップであって、各数値は、前記運用特性のセットの前記運用特性のうちの対応する１つを表す、ステップを有する、請求項１に記載の方法。
【請求項３】
前記運用特性のセットは画像品質メトリックを含む、請求項２に記載の方法。
【請求項４】
前記数値は、前記画像システムにより生成された画像データのボクセルの少なくともサブセットの標準偏差を表す、請求項３に記載の方法。
【請求項５】
前記数値は、前記画像システムにより生成された画像データのボクセルの少なくともサブセットの解像度を表す、請求項３に記載の方法。
【請求項６】
前記数値は、２進値である、請求項３に記載の方法。
【請求項７】
前記識別された運用特性は、温度、電気特性、データ記憶の状態、又はデータ伝送レートのうちの１又は複数を有する、請求項１に記載の方法。
【請求項８】
前記基準傾向は、断続的に前記所定範囲の外側に入るがサービスを要求しない同じ運用特性を有する異なる画像システムの傾向を有する、請求項１に記載の方法。
【請求項９】
前記基準傾向は、断続的に前記所定範囲の外側に入りサービスを要求する同じ運用特性を有する異なる画像システムの傾向を有する、請求項１に記載の方法。
【請求項１０】
前記基準傾向は、断続的に前記所定範囲の外側に入る同じ運用特性を有する同じ画像システムの傾向を有し、前記比較は、前記断続的な運用特性がより高い頻度で又はより低い頻度で生じているかを示す、請求項１に記載の方法。
【請求項１１】
前記画像システムはサービスを提供されるべきあると示すユーザ入力を示す信号を受信するステップと、
前記信号を受信することに応答して、前記サービス通知信号を生成するステップと、
を更に有する請求項１に記載の方法。
【請求項１２】
断続的に及び持続的に所定範囲の外側に入る画像システムの運用特性を識別することに基づき、前記画像システムがサービスを提供されるべきか否かを決定する画像システムヘルス監視システム、を有するシステム。
【請求項１３】
前記運用特性を識別する特性識別器と、
前記の識別した運用特性の傾向を生成するトレンダと、
前記の生成した傾向を少なくとも１つの基準傾向と比較する傾向比較器と、
前記傾向の比較に基づき、前記画像システムはサービスを提供されるべきか否かを決定し、前記画像システムはサービスを提供されるべきであるとき、サービス通知信号を生成する、決定ロジックと、
を有する請求項１２に記載のシステム。
【請求項１４】
前記運用特性は、数値により表される、請求項１２に記載のシステム。
【請求項１５】
前記運用特性は画像品質メトリックである、請求項１２に記載のシステム。
【請求項１６】
前記画像品質メトリックは、前記画像システムにより生成された画像データの検出画像不均一性の比の値を表す数値を有する、請求項１５に記載のシステム。
【請求項１７】
前記画像品質メトリックは、前記画像システムの検出器の回転中心の追跡を表す数値を有する、請求項１５に記載のシステム。
【請求項１８】
前記画像品質メトリックは、前記画像システムの空間分解能性能を表す数値を有する、請求項１５に記載のシステム。
【請求項１９】
前記画像品質メトリックは、前記画像システムの感度性能を表す数値を有する、請求項１５に記載のシステム。
【請求項２０】
前記運用特性は、温度、電気特性、データ記憶の状態、データ転送問題、又はデータ転送障害のうちの１又は複数を有する、請求項１５に記載のシステム。
【請求項２１】
前記少なくとも１つの基準傾向は、断続的に前記所定範囲の外側に入るがサービスを要求しない同じ運用特性を有する異なる画像システムの第１の傾向、断続的に前記所定範囲の外側に入りサービスを要求する同じ運用特性を有する異なる画像システムの第２の傾向、又は断続的に前記所定範囲の外側に入る同じ運用特性を有する同じ画像システムの第３の傾向、のうちの少なくとも１つを有する、請求項１３に記載のシステム。
【請求項２２】
コンピュータ可読命令をエンコードされた非一時的コンピュータ可読記憶媒体であって、前記コンピュータ可読命令は、プロセッサにより実行されると、前記プロセッサに、
断続的に所定範囲の外側に入る画像システムの運用特性のセットのうちの運用特性を識別させ、
前記の識別された運用特性の傾向を生成させ、
前記の生成された傾向を少なくとも１つの基準傾向と比較させ、
前記傾向の比較に基づき、前記画像システムはサービスを提供されるべきか否かを決定させ、
前記画像システムはサービスを提供されるべきであると決定することに応答して、サービス通知信号を生成させる、
非一時的コンピュータ可読記憶媒体。
【請求項２３】
画像システムがサービスを提供されるべきか否かを決定するために該画像システムを監視する監視システムであって、前記システムは、
コンピュータプロセッサであって、
断続的に所定運用範囲の外側に入る前記画像システムの運用特性を識別し、
前記識別された運用特性の傾向を生成し、
前記生成された傾向を少なくとも１つの基準傾向と比較し、
前記傾向の比較に基づき、前記画像システムがサービスを提供されるべきか否かを決定し、
前記画像システムがサービスを提供されるべきであると決定することに応答して、サービス通知信号を生成する、
よう構成されるコンピュータプロセッサと、
前記生成された傾向及びサービス通知のうちの少なくとも１つを表示するよう構成されるディスプレイ機器と、
を有する監視システム。
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
ナビゲーションデバイスによってナビゲーション案内を提供する方法であって、
道路区分における車両のロケーションを決定することと、ここにおいて、前記道路区分における前記車両の前記ロケーションは、前記車両が位置する車線を含む、
前記道路区分における前記車両の前記ロケーションに従って動的速度制限を決定することと、ここにおいて、前記道路区分における前記車両の前記ロケーションに従って前記動的速度制限を前記決定することは、前記道路区分に対して通知された速度制限に基づいてサーバからクラウドソーシングデータを受信すること、および前記受信されたクラウドソーシングデータに基づいて前記動的速度制限を決定することを備える、
前記ナビゲーションデバイスのディスプレイに前記動的速度制限を表示することと、ここにおいて、任意の時点において、前記動的速度制限は、表示の前記時点における法定速度制限を反映する、
ここにおいて、前記道路区分における前記車両の前記ロケーションに従って動的速度制限を前記決定することは、
前記動的速度制限を導出するための１組のルールを取得することと、
前記道路区分における前記車両の前記ロケーションおよび前記動的速度制限を導出するための前記１組のルールにさらに基づいて前記動的速度制限を決定することと、
をさらに備える、
を備える方法。
【請求項２】
前記動的速度制限を導出するための前記１組のルールは、
現在の日時、
現在の天候条件、
現在の道路条件、および
車両クラス、ここにおいて前記車両クラスは前記車両の重量を含む、
のうちの少なくとも１つを備える、請求項１に記載の方法。
【請求項３】
前記道路区分における前記車両の前記ロケーションに従って動的速度制限を前記決定することは、
現在の日時を得ることと、
前記現在の日時、前記車両の車両クラス、および前記道路区分における前記車両の前記ロケーションのうちの少なくとも１つに基づいて、前記ナビゲーションデバイスのデータベースから速度制限を取得することと、
前記データベースから前記速度制限にさらに基づいて、前記動的速度制限を決定することと、
をさらに備える、請求項１に記載の方法。
【請求項４】
前記道路区分に対して通知された前記速度制限は、
現在の日時における前記車両が位置する前記車線の前記動的速度制限、
前記現在の日時における車両クラスの前記動的速度制限、
前記道路区分に対する昼間交通の前記動的速度制限、
前記道路区分に対する夜間交通の前記動的速度制限、
前記道路区分に対するラッシュアワー交通の前記動的速度制限、
前記道路区分に対する非ラッシュアワー交通の前記動的速度制限、ならびに
前記道路区分に対する春期、夏期、秋期、および冬期のうちの１つにおける前記動的速度制限、
のうちの少なくとも１つを備える、請求項１に記載の方法。
【請求項５】
前記クラウドソーシングデータは複数の車両から収集され、前記クラウドソーシングデータは、前記複数の車両によって報告されたタイムスタンプおよびＧＰＳロケーションと相関される車載診断データ（ＯＢＤ）を含む、請求項１に記載の方法。
【請求項６】
前記車両の現在の速度を検出することと、
前記車両の前記現在の速度を前記道路区分の前記動的速度制限と比較することと、
前記現在の速度が前記道路区分の前記動的速度制限を超えることに応答してドライバに対する警報を生成することと、
をさらに備える、請求項１に記載の方法。
【請求項７】
請求項１から６の方法を実行するためのナビゲーションデバイスのための命令を記憶する非一時的媒体を備えるコンピュータプログラム製品。
【請求項８】
ナビゲーションデバイスであって、
道路区分における車両のロケーションを決定するための手段と、ここにおいて、前記道路区分における前記車両の前記ロケーションは、前記車両が位置する車線を含む、
前記道路区分における前記車両の前記ロケーションに従って動的速度制限を決定するための手段と、ここにおいて、前記道路区分における前記車両の前記ロケーションに従って前記動的速度制限を決定するための前記手段は、前記道路区分に対して通知された速度制限に基づいてサーバからクラウドソーシングデータを受信するための手段、および前記受信されたクラウドソーシングデータに基づいて前記動的速度制限を決定するための手段を備える、
前記ナビゲーションデバイスのディスプレイに前記動的速度制限を表示するための手段と、ここにおいて、任意の時点において、前記動的速度制限は、表示の前記時点における法定速度制限を反映する、
ここにおいて、前記道路区分における前記車両の前記ロケーションに従って動的速度制限を決定するための前記手段は、
前記動的速度制限を導出するための１組のルールを取得するための手段と、
前記道路区分における前記車両の前記ロケーションおよび前記動的速度制限を導出するための前記１組のルールにさらに基づいて前記動的速度制限を決定するための手段と、
をさらに備える、
を備えるナビゲーションデバイス。
【請求項９】
前記道路区分における前記車両の前記ロケーションに従って動的速度制限を決定するための前記手段は、
現在の日時を得るための手段と、
前記現在の日時、前記車両の車両クラス、および前記道路区分における前記車両の前記ロケーションのうちの少なくとも１つに基づいて、前記ナビゲーションデバイスのデータベースから速度制限を取得するための手段と、
前記データベースから前記速度制限にさらに基づいて、前記動的速度制限を決定するための手段と、
をさらに備える、請求項８に記載のナビゲーションデバイス。
【請求項１０】
前記クラウドソーシングデータは複数の車両から収集され、前記クラウドソーシングデータは、前記複数の車両によって報告されたタイムスタンプおよびＧＰＳロケーションと相関される車載診断データ（ＯＢＤ）を含む、請求項８に記載のナビゲーションデバイス。
【請求項１１】
前記車両の現在の速度を検出するための手段と、
前記車両の前記現在の速度を前記道路区分の前記動的速度制限と比較するための手段と、
前記現在の速度が前記道路区分の前記動的速度制限を超えることに応答してドライバに対する警報を生成するための手段と、
をさらに備える、請求項８に記載のナビゲーションデバイス。
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
触覚フィードバックを与える方法であって、
デバイス内の電極のセットにハプティック信号を印加するステップと、
前記デバイスのタッチ感知画面において、タッチ入力を検出するステップと、
前記タッチ入力から電極の前記セットへの変位電流を求めるステップであって、前記変位電流が、前記ハプティック信号の振幅の効果であるステップと、
求めた変位電流に基づいて前記ハプティック信号を修正するステップと
を含み、
前記変位電流が、前記タッチ入力、ならびに前記ハプティック信号の源と前記タッチ入力との間の接地経路に基づく方法。
【請求項２】
前記ハプティック信号を修正する前記ステップが、検出した変位電流が変化するときに前記ハプティック信号を修正するステップを含む請求項1に記載の方法。
【請求項３】
前記変位電流が電流の大きさの減少を示すとき、前記ハプティック信号を修正する前記ステップが、前記ハプティック信号の前記振幅を増大させるステップを含む、または
前記変位電流が電流の大きさの増大を示すとき、前記ハプティック信号を修正する前記ステップが、前記ハプティック信号の前記振幅を低減させるステップを含む、または、
前記変位電流が一定の電流の大きさを示すとき、前記ハプティック信号を修正する前記ステップが、前記ハプティック信号の前記振幅を維持するステップを含む請求項1に記載の方法。
【請求項４】
前記変位電流が電流の変化を示すかどうかを判定するステップをさらに含み、
前記変位電流が電流の変化を示すと判定されるとき、前記ハプティック信号を修正する前記ステップが、前記ハプティック信号の前記振幅を修正するステップを含む請求項1に記載の方法。
【請求項５】
前記ハプティック信号を修正する前記ステップの後、電極の前記セットへの第2の変位電流を求めるステップであって、前記第2の変位電流が、修正されたハプティック信号の振幅の効果であるステップと、
求めた第2の変位電流に基づいて前記ハプティック信号を修正するステップと
をさらに含み、
第1の変位電流を求める前記ステップが、第1の時点において前記第1の変位電流を求めるステップを含み、第2の変位電流を求める前記ステップが、前記第1の時点に続く第2の時点において前記第2の変位電流を求めるステップを含む請求項1に記載の方法。
【請求項６】
前記第1の時点における前記ハプティック信号の源と前記タッチ入力との間の接地経路が、前記第2の時点における前記ハプティック信号の前記源と前記タッチ入力との間の接地経路とは異なる請求項8に記載の方法。
【請求項７】
前記ハプティック信号の源と前記タッチ入力との間の接地経路の変化を検出するステップをさらに含み、
前記変化が検出されるとき、前記ハプティック信号を修正する前記ステップが、前記ハプティック信号の前記振幅を修正するステップを含む請求項1に記載の方法。
【請求項８】
前記方法が、修正したハプティック信号を電極の前記セットに印加するステップをさらに含み、および／または、
ハプティック信号を印加する前記ステップが、電極の前記セットに前記ハプティック信号を一様に印加するステップを含む請求項1に記載の方法。
【請求項９】
ハプティック信号を印加する前記ステップが、電極の前記セット上に電位を生成するステップを含み、および／または、
前記タッチ入力がユーザの指からのものであり、ハプティック信号を印加する前記ステップが、前記ユーザの指に対する力を誘導し、および／または、
前記方法が、前記タッチ感知画面との間のタッチ入力を監視するステップであって、前記タッチ入力を検出するステップを含むステップをさらに含む請求項1に記載の方法。
【請求項１０】
触覚フィードバックを与えるための装置であって、
タッチ入力を検出するタッチ感知画面と、
電極のセットと、
電極の前記セットにハプティック信号を印加し、前記タッチ入力から電極の前記セットへの変位電流に基づいて前記ハプティック信号を修正するハプティック電圧信号発生器と、
前記変位電流を求めるハプティックフィードバックコントローラであって、前記変位電流が、前記ハプティック信号の振幅の効果であるハプティックフィードバックコントローラと
を備え、
前記変位電流が、前記タッチ入力、ならびに前記ハプティック信号の源と前記タッチ入力との間の接地経路に基づく装置。
【請求項１１】
前記装置がモバイルデバイスであり、
前記モバイルデバイスが、スマートフォン、タブレット、不透明表面、および視覚障害者用の補助装置のうちの少なくとも1つである請求項10に記載の装置。
【請求項１２】
前記タッチ感知画面が容量性タッチ感知画面であり、および／または、
前記ハプティック電圧信号発生器が電気信号を生成し、および
前記ハプティック電圧信号発生器が電極の前記セット上に電位を生成する請求項10に記載の装置。
【請求項１３】
前記ハプティックフィードバックコントローラが、前記ハプティック電圧信号発生器によって生成された前記ハプティック信号の前記振幅を制御する請求項10に記載の装置。
【請求項１４】
前記ハプティック電圧信号発生器が、変圧器およびデジタル-アナログ変換器のうちの少なくとも1つであり、および／または、
前記装置が、電流を測定するための直列の抵抗器を使用する電流計をさらに備え、および／または、
前記装置が、前記ハプティックフィードバックコントローラを含むマイクロコントローラをさらに備える請求項10に記載の装置。
【請求項１５】
請求項１から９のいずれか一項に記載の方法を行うためのコードを備えるコンピュータ可読記憶媒体。
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ビット線と相補ビット線とを含むカラム線ペアと、
複数のメモリセルと、ここにおいて、各メモリセルが、前記ビット線に結合された第１のトランジスタと、前記相補ビット線に結合された第２のトランジスタとを備えるトランジスタのペアを含み、ここにおいて、トランジスタの各ペアについて、前記第１および第２のトランジスタのうちの１つが低しきい値電圧（低Ｖｔ）トランジスタであり、前記第１および第２のトランジスタのうちの残りの１つが高しきい値電圧（高Ｖｔ）トランジスタである、
前記ビット線と前記相補ビット線との間の電圧差を検知するように構成されたセンス増幅器と、
接地と前記第１および第２のトランジスタの各々のソースとの間に結合されたチョークデバイスと、ここにおいて、前記チョークデバイスが、漏れ電流を抑制するために前記第１および第２のトランジスタの前記各々のためのゲートソース間電圧を低減するように構成される、
前記相補ビット線に結合されたそれのゲートと、前記ビット線に結合されたドレインとを有する第１のＰＭＯＳトランジスタと、
前記ビット線に結合されたそれのゲートと、前記相補ビット線に結合されたドレインとを有する第２のＰＭＯＳトランジスタと
を備えるマスクプログラムドＲＯＭ（ＭＲＯＭ）。
【請求項２】
前記第１のトランジスタおよび前記第２のトランジスタがＮＭＯＳトランジスタである、請求項１に記載のＭＲＯＭ。
【請求項３】
前記チョークデバイスが、電源に結合されたゲートと、接地に結合されたソースと、前記第１および第２のトランジスタの前記ソースに結合されたドレインとを有するＮＭＯＳトランジスタを備える、請求項１に記載のＭＲＯＭ。
【請求項４】
前記第１のＰＭＯＳトランジスタのためのソースと前記第２のＰＭＯＳトランジスタのためのソースとが両方とも電源に結合された、請求項１に記載のＭＲＯＭ。
【請求項５】
前記カラム線ペアの両端間のコモンモード電圧降下を減少させるように構成されたキーパーデバイスのペアをさらに備える、請求項１に記載のＭＲＯＭ。
【請求項６】
前記カラム線ペアをプリチャージするように構成されたプリチャージトランジスタのペアをさらに備える、請求項１に記載のＭＲＯＭ。
【請求項７】
ビット線と相補ビット線とを含むカラム線のペアをプリチャージすることと、
前記ビット線に結合された第１のトランジスタと、前記相補ビット線に結合された第２のトランジスタとを含むメモリセルにアクセスするためにワード線をアサートすることと、ここにおいて、前記第１および第２のトランジスタのうちの１つが低Ｖｔトランジスタであり、ここにおいて、前記第１および第２のトランジスタのうちの残りの１つが高Ｖｔトランジスタである、
前記ワード線のアサーションに応答して、前記アクセスされたメモリセルに記憶された２進値を検知するために、前記第１および第２のトランジスタのうちのどの１つが前記低Ｖｔトランジスタであるか、および、前記第１および第２のトランジスタのうちのどの１つが前記高Ｖｔトランジスタであるかを決定するために、カラム線の前記プリチャージされたペアの両端間の電圧差を検知することと、
漏れ電流を抑制するために、チョークデバイスを通して接地に前記第１のトランジスタのためのソースを結合し、前記チョークデバイスを通して接地に前記第２のトランジスタのソースを結合することと、
キーパーデバイスを通して前記ビット線と前記相補ビット線とを弱くチャージすることによって、前記カラム線のペアについてのコモンモード電圧降下を減少させることと
を備える、方法。
【請求項８】
前記低Ｖｔトランジスタが、前記プリチャージされたカラム線のうちの１つを、前記プリチャージされたカラム線のうちの残りの１つよりも低い電圧までディスチャージしたことに応答して、前記プリチャージされたカラム線の前記残りの１つを電源電圧までチャージするためにトランジスタをオンにすることをさらに備える、請求項７に記載の方法。
【請求項９】
センス増幅器において前記電圧差を検知することをトリガするために、前記電圧差の発生の後にセンスイネーブル信号をアサートすることをさらに備える、請求項７に記載の方法。
【請求項１０】
ビット線と相補ビット線とを含むカラム線ペアと、
チョークデバイスと、
複数のメモリセルと、ここにおいて、各メモリセルが、前記ビット線に結合された第１のトランジスタと、前記相補ビット線に結合された第２のトランジスタとを備えるトランジスタのペアを含み、ここにおいて、トランジスタの各ペアについて、前記第１および第２のトランジスタのうちの１つが、前記チョークデバイスを通して接地に結合されたソースを有する低しきい値電圧（低Ｖｔ）トランジスタであり、前記第１および第２のトランジスタのうちの残りの１つが、前記チョークデバイスを通して接地に結合されたソースを有する高しきい値電圧（高Ｖｔ）トランジスタであり、ここにおいて、前記チョークデバイスが、前記第１および第２のトランジスタの各々のためのゲートソース間電圧を低減するように構成される、
前記メモリセルのうちのアクセスされた１つのメモリセルにおいて前記第１および第２のトランジスタのうちのいずれが高Ｖｔトランジスタまたは低Ｖｔトランジスタであるかを決定するために前記ビット線と前記相補ビット線との間の電圧差を検知するための手段と、
前記相補ビット線に結合されたそれのゲートと、前記ビット線に結合されたドレインとを有する第１のＰＭＯＳトランジスタと
前記ビット線に結合されたそれのゲートと、前記相補ビット線に結合されたドレインとを有する第２のＰＭＯＳトランジスタと
を備えるマスクプログラムドＲＯＭ（ＭＲＯＭ）。
【請求項１１】
前記手段は、前記メモリセルのうちの前記アクセスされた１つのメモリセルにおいて前記第１および第２のトランジスタのうちのいずれが高Ｖｔトランジスタまたは低Ｖｔトランジスタであるかを決定するために、前記カラム線ペアの両端間の電圧差を検出するように構成された、請求項１０に記載のＭＲＯＭ。
【請求項１２】
前記手段は、前記メモリセルのうちの前記アクセスされた１つのメモリセルにおいて前記第１および第２のトランジスタのうちのいずれが高Ｖｔトランジスタまたは低Ｖｔトランジスタであるかの前記決定に応答してビット判定を行うようにさらに構成された、請求項１１に記載のＭＲＯＭ。
【請求項１３】
前記第１のトランジスタおよび前記第２のトランジスタがＮＭＯＳトランジスタである、請求項１０に記載のＭＲＯＭ。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
対向する端部を備える長形部材であって、対向する端部の各々において２つの電気的接点が設けられている長形部材上に配されている１つ以上のＬＥＤ照明要素を有するＬＥＤ置換えランプにおいて、
フィラメント・エミュレーション回路は両方の前記端部において前記電気的接点に接続されており、
前記１つ以上のＬＥＤ照明要素を有するＬＥＤ照明アセンブリは、前記ＬＥＤ照明要素の動作のための電力を供給されるべき前記フィラメント・エミュレーション回路に電気的に接続されており、
前記フィラメント・エミュレーション回路は、各々、前記電気的接点の第１のものに接続されている第１の抵抗回路及び前記電気的接点の第２のものに接続されている第２の抵抗回路を有し、前記フィラメント・エミュレーション回路は、前記抵抗回路と並列に接続されている電圧制限回路を有し、
前記第１の抵抗回路及び前記第２の抵抗回路が共通端子において前記ＬＥＤ照明アセンブリに接続されており、
前記第１の抵抗回路及び前記第２の抵抗回路の各々は、少なくとも２つの抵抗器の直列接続を、前記抵抗器の１つの故障の場合に前記フィラメント・エミュレーション回路の全抵抗が、決定されている抵抗値よりも高く留まるような仕方において有する、ＬＥＤ置換えランプ。
【請求項２】
前記第１の抵抗回路及び前記第２の抵抗回路は、各々少なくとも４つの抵抗器の直列接続を有する、請求項１に記載のＬＥＤ置換えランプ。
【請求項３】
前記フィラメント・エミュレーション回路は、各々少なくとも１つの前記抵抗回路と直列に接続されている電流制限回路を有する、請求項１又は２に記載のＬＥＤ置換えランプ。
【請求項４】
前記電流制限回路は再設定可能な電流制限要素を有する、請求項３に記載のＬＥＤ置換えランプ。
【請求項５】
前記再設定可能な電流制限要素はＰＴＣ要素である、請求項４に記載のＬＥＤ置換えランプ。
【請求項６】
前記電圧制限回路は、ＶＤＲ、ＤＩＡＣ、ＳＩＤＩＡＣ、スパークギャップ、ガス放電管、過電圧保護装置上の双方向性サイリスタを有するグループから選択される少なくとも１つの要素を有し、前記電圧制限回路は、前記電気的接点と、前記第１の抵抗回路と、前記第２の抵抗回路との間にある、請求項１に記載のＬＥＤ置換えランプ。
【請求項７】
蛍光ランプ器具のバラストに接続されている、請求項１乃至６の何れか一項に記載のＬＥＤ置換えランプ。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
ユーザデバイスにコンテンツデータを提供するための方法であって、
前記ユーザデバイスから基準コードを得るステップであり、前記基準コードが印刷又は表示された線形コードに対応する、当該ステップと、
前記基準コードに対応する、コンテンツデータベース内の基準を識別するステップと、
前記基準と関連付けられるコンテンツデータを識別するステップと、
前記コンテンツデータを前記ユーザデバイスに通信するステップと、
を含む、方法。
【請求項２】
前記コンテンツデータベースを備えるサーバを提供するステップをさらに含み、前記サーバが、前記基準コードを得、前記基準を識別し、前記コンテンツデータを識別するように構成されている、請求項１に記載の方法。
【請求項３】
前記線形コードが印刷された線形コードである、請求項１に記載の方法。
【請求項４】
前記線形コードが表示された線形コードである、請求項１に記載の方法。
【請求項５】
前記線形コードが印刷又は表示されたテキストとインラインで配置されている、請求項１に記載の方法。
【請求項６】
前記線形コードが、
レジストリ文字、
１つ又は複数のコード文字を含み、各コード文字は、複数の部分領域の配列を含む、請求項１に記載の方法。
【請求項７】
各コード文字が、４つの部分領域が２列になって配列されている、８つの部分領域の配列を含む、請求項６に記載の方法。
【請求項８】
各コード文字の各部分領域が、２つの状態、好ましくは２つの対照的な色のうちの一方から選択され、それによって、各コード文字が数を一意に符号化する、請求項６に記載の方法。
【請求項９】
各コード文字が、下の基材の色とは異なる色を有する少なくとも１つの部分領域を含む、請求項８に記載の方法。
【請求項１０】
前記基準コードが１つ又は複数の数を含み、各数が、前記１つ又は複数のコード文字のうちの１つと一意に関連付けられる、請求項６に記載の方法。
【請求項１１】
前記識別されるコンテンツデータが、前記ユーザデバイスの特性に基づいて前記基準コードと関連付けられる複数のコンテンツデータから選択され、前記方法が、１つ又は複数のユーザデバイス識別子を受信するステップと、前記１つ又は複数のユーザデバイス識別子に基づいて前記複数のコンテンツデータから１つのコンテンツデータを決定するステップを含む、請求項１に記載の方法。
【請求項１２】
前記基準コードが、暗号化識別子を含み、前記方法が、前記基準コードを解読するステップをさらに含む、請求項１に記載の方法。
【請求項１３】
前記コンテンツデータが、前記ユーザデバイスに、前記コンテンツデータ又は関連データを自動的に提示させるように構成されている、請求項１に記載の方法。
【請求項１４】
１つ又は複数のコード文字の順序付けを含む、線形コードを生成するための方法であって、
関連する基準コードを決定するステップと、
１つ又は複数の数が前記基準コードに対応するように、前記コード文字又は各コード文字と関連付けられる数を決定するステップと、
各コード文字について、
前記関連付けられる数の基数ｂ表現を決定するステップと、
前記コード文字の複数（Ｎ個）の部分領域の配列を決定するステップであり、各部分領域は、前記基数ｂ表現の桁と一意に関連付けられる、当該ステップと、
各桁と関連付けられている各部分領域を、前記関連付けられている桁の値に対応する色に関連付けるステップと、
前記順序付けされた１つ又は複数のコード文字を含む前記線形コードを提示するステップと、を含む、方法。
【請求項１５】
前記関連する基準コードを決定するステップが、
暫定基準コードをランダムに生成することと、
前記暫定基準コードを、使用済み基準コードのレコードを含む使用済み基準データベースと比較することと、
前記暫定基準コードが、前記使用済み基準データベースのいずれの使用済み基準コードとも等しくないことを判定することと、
前記暫定基準コードを前記関連する基準コードとして割り当てることとを含む、請求項１４に記載の方法。
【請求項１６】
各基準コードが、順序付けされ選択された１つ又は複数のコード文字に対応する順序付けされ選択された１つ又は複数の数を含む、請求項１４に記載の方法。
【請求項１７】
前記基数ｂ表現が２進表現であり、各数字と対応する色が、第１の色及び第２の色を含む、請求項１４に記載の方法。
【請求項１８】
前記線形コードが、１つ又は複数のレジストリ文字、好ましくは１つのレジストリ文字をさらに含み、前記方法が、前記レジストリ文字を決定するステップを含む、請求項１４に記載の方法。
【請求項１９】
前記レジストリ文字が、予め決定されている文字、又は、前記線形コードの前記決定されているコード文字に基づいて少なくとも部分的に決定される文字のいずれかである、請求項１８に記載の方法。
【請求項２０】
１つ又は複数のコード文字の順序付けを含む線形コードを生成するための線形コード生成器であって、プロセッサと、第１のメモリと、第２のメモリとを備え、前記第２のメモリが、前記プロセッサによる実行のための命令を記憶するように構成されており、前記命令が、前記プロセッサに、
関連する基準コードを決定するステップと、
１つ又は複数の数が前記基準コードに対応するか又は等しくなるように、前記コード文字又は各コード文字と関連付けられる数を決定するステップと、
各コード文字について、
前記関連付けられる数の２進表現を決定するステップと、
前記コード文字の複数の部分領域の配列を決定するステップであり、各部分領域が、前記２進表現のビットと一意に関連付けられる、当該ステップと、
第１のビット値と関連付けられている各部分領域を第１の色に関連付け、第２のビット値と関連付けられている各部分領域を第２の色に関連付けるステップと、
前記順序付けされた１つ又は複数のコード文字を含む前記線形コードを提示するステップとを含む方法を実行させるように構成されている、線形コード生成器。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
リフレクションベースのプログラミング言語でそのソフトウェアが書かれているネイティブアプリケーションのための最適化の方法であって、前記ネイティブアプリケーションはディスプレイおよびプロセッサを含むコンピューティングデバイス上で実行可能であり、前記ネイティブアプリケーションは前記コンピューティングデバイスの前記ディスプレイにユーザインターフェイスを表示するように構成され、前記方法は、
前記ネイティブアプリケーションがジェネリックなコードを含むように修正して、前記コンピューティングデバイスの外部のサーバと通信するよう構成される修正されたネイティブアプリケーションを生成するステップと、
前記サーバから前記修正されたネイティブアプリケーションをリモートで構成して、前記修正されたネイティブアプリケーションによって生成されるユーザインターフェイスのデータ、機能またはコンテンツの１つ以上を変更することができるように実行時に前記修正されたネイティブアプリケーションの構造および挙動を調査および修正するステップと、
前記修正されたネイティブアプリケーションを用いてユーザインターフェイスの１つ以上の変数を生成するステップと、
前記１つ以上の変数のうちから１つ以上のより高い実行変数を検出するステップと、
今後のビジターに対して供するように前記１つ以上のより高い実行変数を前記サーバへ配置するステップとを含む、方法。
【請求項２】
前記ジェネリックなコードは、前記ネイティブアプリケーションの複数バージョンおよびインスタンス内において前記コードを変更することなしに、多数の種類の最適化が最適化システムのユーザインターフェイスにおいてリモートで構成されることを可能にする、請求項１に記載の方法。
【請求項３】
実行時に前記修正されたネイティブアプリケーションの前記構造および挙動を修正することは、前記修正されたネイティブアプリケーションの値、メタデータ、プロパティ、イメージおよび機能のうちの１つ以上を修正することを含む、請求項１または２に記載の方法。
【請求項４】
最適化は、ユーザが所望のアクションを完了する確率を上げるために、オンザフライで各ユーザに対して視覚的エクスペリエンスを適合させることを含む、請求項１〜３のいずれか１項に記載の方法。
【請求項５】
前記方法は、ユーザ挙動をターゲットとするか、プロファイリングするか、または解析することにおいて使用するために、前記ユーザ／デバイスについて１つ以上の属性を収集することをさらに含む、請求項１〜４のいずれか１項に記載の方法。
【請求項６】
前記収集された属性は、以下の：前記デバイスへの接続タイプ（例えば、２Ｇ、３Ｇ、４Ｇ、Ｗｉ−Ｆｉ）；デバイスタイプ；アプリケーションバージョン；オペレーティングシステムタイプおよびバージョン；ロケーション（例えば、座標、都市、国、大陸、郵便番号による）；インターネットサービスプロバイダ；アプリへの過去の訪問の最近度および詳細；過去のアクションの最近度および詳細；特定の製品カテゴリとの過去のインタラクションなどのようなカスタムユーザ定義の属性；ユーザが様々なロケーションからアプリを起動する機会を有する照会ソース；日付、曜日、時間による訪問の時間、およびＣＲＭデータベースなどのような他のロケーションからインポートされるデータ、のうちの１つ以上である、請求項５に記載の方法。
【請求項７】
キャンペーンからビジター／デバイスを、それらの属性を用いて含むかまたは排除するステップと、
他のユーザセグメント情報のためのルールとの組合せにおいて、コンテンツを、ビジター／デバイスに対して、ビジター／デバイスの属性に従って向けるよう、セグメンテーションルールを作成するステップとをさらに含む、請求項５または６に記載の方法。
【請求項８】
変更可能なユーザインターフェイスコンテンツは：
ａ）シンプルテキストまたはイメージブロック（バナー、ページのヘッダ）、移動、リサイズ、ハイディング、再フォーマット；
ｂ）ボタンテキスト、移動、リサイズ、再フォーマット、およびハイディング；
ｃ）「通知プッシュ」頻度およびコンテンツ；
ｄ）表示されるピクチャ（ピクチャは外部サーバに記憶され得る）；
ｅ）新たなテキストまたはイメージブロック；
ｆ）リスト＆テーブル（順序づけ、いくつの項目を表示するか）；
ｇ）前記アプリケーション内のナビケーションパス（例えば、'add to cart'は、ユーザをカートページに向けるか、またはさらなる選択をなすためにカテゴリページに戻るか）、および
ｈ）最後のユーザ選択に基いたナビゲーションの表示、の１つ以上を含む、請求項１〜７のいずれか１項に記載の方法。
【請求項９】
前記ネイティブアプリケーションはライブラリを含む、請求項１〜８のいずれか１項に記載の方法。
【請求項１０】
前記ライブラリはすべてのアプリケーションに対して静的である、請求項９に記載の方法。
【請求項１１】
前記ライブラリは、
コンテンツジェネレータに要求を送信し、当該コンテンツジェネレータから応答を受信するステップと、
ネイティブアプリケーションのスタートでコンテンツジェネレータに対して要求をなすステップと、
コンテンツジェネレータに対して要求をなすステップであって、当該要求はロケーションおよびユーザ属性をパラメータで含んでいるステップと、
ネイティブアプリケーションに含まれるネイティブアプリケーションキャッシュと対話するステップとのうち、１つ以上を実行するように構成される、請求項９または１０に記載の方法。
【請求項１２】
前記ネイティブアプリケーションキャッシュは前記外部サーバからプッシュされたコンテンツを受信するように構成される、請求項１１に記載の方法。
【請求項１３】
前記ライブラリは以下のモジュール：
１）ＣＧ要求モジュール；
２）外部アセットモジュール（イメージトランザクション）；
３）トラッキングモジュール（アクショントラッキング、ＣＧに対して結果を送信する）；
４）アプリケーションオブジェクト識別モジュール；
５）ＭＶＴモジュール（代替的なコンテンツビジュアライゼーションを実現する）；
６）パーソナライゼーションモジュール；
７）セグメンテーションモジュール、および
８）管理制御コンソールモジュール、の１つ以上を含む、請求項９〜１２のいずれか１項に記載の方法。
【請求項１４】
前記ライブラリは、コード命令において、指定されたオブジェクトおよびプロパティのみを修正することができる、請求項９〜１３のいずれか１項に記載の方法。
【請求項１５】
請求項１〜１４のいずれか１項に記載の方法を実行するよう構成されるシステム。
【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
分割された時分割メディアデータをサーバーにカプセル化する方法であって、前記分割された時分割メディアデータは、時分割サンプルを含み、各時分割サンプルは、複数のサブサンプルを含み、前記方法は、
前記時分割サンプルのうちの１つの前記複数のサブサンプルの中から、少なくとも１つのサブサンプルを選択するステップと、
各選択されたサブサンプルについて、前記選択されたサブサンプルおよび前記他の時分割サンプルの各々の１つの対応するサブサンプルを含む１つの分割トラックを生成するステップと、
前記生成された分割トラックのうちの少なくとも１つを識別する少なくとも１つのエクストラクタを含む少なくとも１つの参照トラックを生成するステップと、
前記生成されたトラックの各々を少なくとも１つのメディアセグメントファイルに独立にカプセル化するステップと、を含む、方法。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
複数のスイッチおよび遅延時間周期T_Tdを有する電圧レギュレータを動作させる方法であって、
ヒステリシスパラメータV_hystをヒステリシス比較器に供給するステップであって、前記ヒステリシスパラメータV_hystが、回路構成要素と、前記電圧レギュレータの電圧出力Voutと、前記電圧レギュレータの電圧入力Vinと、前記複数のスイッチのうちの1つを駆動する信号との関数である、ステップと、
前記スイッチを前記ヒステリシスパラメータに基づいて駆動するステップと
を含み、前記ヒステリシスパラメータをもたらす前記回路構成要素のうちの1つまたは複数が、ヒステリシス時間周期T_hystも定義し、前記ヒステリシス時間周期T_hystが、前記遅延時間周期T_Tdと組み合わせて、前記電圧レギュレータのほぼ一定のスイッチング時間周期Tを定義する、
方法。
【請求項２】
前記回路構成要素が、抵抗値R1を有する第1の抵抗器、抵抗値R2を有する第2の抵抗器、抵抗値R3を有する第3の抵抗器、および抵抗値R4を有する第4の抵抗器を備え、前記ヒステリシスパラメータV_hystが、次式によって与えられ、
V_hyst=2*(I1-I2-I3)*R4
ただし、I1はVoutおよびR1に基づき、I2はVoutおよびR2に基づき、I3はVinおよびR3に基づく、請求項1に記載の方法。
【請求項３】
前記ヒステリシス時間周期が、次式によって与えられ、
T_hyst=Vhyst*L/{Asns*Vout*(1-D)}
ただし、Lは前記電圧レギュレータのインダクタのインダクタンスであり、Asnsは、前記インダクタの両端で検知された電圧および前記インダクタを通る電流に基づき、D=Vout/Vinである、請求項2に記載の方法。
【請求項４】
R1、R2、R3、およびR4が、次式のようなものであり、
T_hyst=L/Asns*{[K1]-[K2*D/(1-D)]-[K3*1/D]}
ただし、K1=2*R4/R1、K2=2*R4/R2、K3=R4/R3である、請求項3に記載の方法。
【請求項５】
前記電圧レギュレータの前記遅延時間周期T_Tdが、次式によって与えられ、
T_Td=Td*{1+D/(1-D)+1/D}
ただし、Tdは前記電圧レギュレータの既知の値であり、D=Vout/Vinである、請求項4に記載の方法。
【請求項６】
R2、R3、およびR4は、前記電圧レギュレータの前記スイッチング時間周期Tが、次式によって与えられるようなものであり、
T=T_Td+T_hyst=Td+[K1*L/Asns]
ただし、Tdは前記電圧レギュレータの既知の値である、請求項4に記載の方法。
【請求項７】
電圧レギュレータであって、
ヒステリシスパラメータV_hystをヒステリシス比較器に供給するための手段であって、前記ヒステリシスパラメータV_hystが、回路構成要素と、前記電圧レギュレータの電圧出力Voutと、前記電圧レギュレータの電圧入力Vinと、複数のスイッチのうちの1つを駆動する信号との関数である、手段と、
複数のスイッチを前記ヒステリシスパラメータに基づいて駆動するための手段と
を備え、前記ヒステリシスパラメータをもたらす前記回路構成要素のうちの1つまたは複数が、ヒステリシス時間周期T_hystも定義し、前記ヒステリシス時間周期T_hystが、前記電圧レギュレータの遅延時間周期T_Tdと組み合わせて、前記電圧レギュレータのほぼ一定のスイッチング時間周期Tを定義する、
電圧レギュレータ。
【請求項８】
前記回路構成要素が、抵抗値R1を有する第1の抵抗器、抵抗値R2を有する第2の抵抗器、抵抗値R3を有する第3の抵抗器、および抵抗値R4を有する第4の抵抗器を備え、前記ヒステリシスパラメータV_hystが、次式によって与えられ、
V_hyst=2*(I1-I2-I3)*R4
ただし、I1はVoutおよびR1に基づき、I2はVoutおよびR2に基づき、I3はVinおよびR3に基づく、請求項7に記載の電圧レギュレータ。
【請求項９】
前記ヒステリシス時間周期が、次式によって与えられ、
T_hyst=Vhyst*L/{Asns*Vout*(1-D)}
ただし、Lは前記電圧レギュレータのインダクタのインダクタンスであり、Asnsは、前記インダクタの両端で検知された電圧および前記インダクタを通る電流に基づき、D=Vout/Vinである、請求項8に記載の電圧レギュレータ。
【請求項１０】
R1、R2、R3、およびR4が、次式のようなものであり、
T_hyst=L/Asns*{[K1]-[K2*D/(1-D)]-[K3*1/D]}
ただし、K1=2*R4/R1、K2=2*R4/R2、K3=R4/R3である、請求項9に記載の電圧レギュレータ。
【請求項１１】
前記電圧レギュレータの前記遅延時間周期T_Tdが、次式によって与えられ、
T_Td=Td*{1+D/(1-D)+1/D}
ただし、Tdは前記電圧レギュレータの既知の値であり、D=Vout/Vinである、請求項10に記載の電圧レギュレータ。
【請求項１２】
R2、R3、およびR4は、前記電圧レギュレータの前記スイッチング時間周期Tが、次式によって与えられるようなものであり、
T=T_Td+T_hyst=Td+[K1*L/Asns]
ただし、Tdは前記電圧レギュレータの既知の値である、請求項10に記載の電圧レギュレータ。